(57)【要約】  充電のための複数の外部電源がある場合において外部電源の使用状況をユーザに通知することができる携帯端末装置を提供する。携帯端末装置は、複数の外部電源のいずれかから供給される電力で充電される二次電池と、複数の外部電源の各々が接続されたことを検出する検出部と、検出部の検出結果に基づき、複数の外部電源を用いた充電の可否を示す電源状況を判定する電源状況判定部と、電源状況判定部が判定した複数の外部電源の各々の電源状況と、複数の外部電源のうち二次電池に電力を供給する外部電源を選択する順位である外部電源の優先順位とに基づいて、複数の外部電源の中から充電に用いる外部電源を選択する選択部と、選択部が選択した外部電源から供給される電力で二次電池を充電する充電部と、選択部が選択した外部電源を示す情報を出力する出力部とを備える。
2012157567.tif 000002
【特許請求の範囲】
【請求項１】
複数の外部電源のいずれかから供給される電力で充電される二次電池と、
前記複数の外部電源の各々が接続されたことを検出する検出部と、
前記検出部の検出結果に基づき、前記複数の外部電源を用いた充電の可否を示す電源状況を判定する電源状況判定部と、
前記電源状況判定部が判定した前記複数の外部電源の各々の前記電源状況と、前記複数の外部電源のうち前記二次電池に前記電力を供給する外部電源を選択する順位である前記外部電源の優先順位とに基づいて、前記複数の外部電源の中から充電に用いる外部電源を選択する選択部と、
前記選択部が選択した前記外部電源から供給される電力で前記二次電池を充電する充電部と、
前記選択部が選択した前記外部電源を示す情報を出力する出力部と
を備える携帯端末装置。
【請求項２】
前記選択部は、
前記電源状況判定部が、充電に用いることの可能な外部電源があると判定した場合、充電に用いることが可能であると判定された前記外部電源のうち、最も優先順位の高い外部電源を、前記二次電池の充電に用いる外部電源として選択する請求項１に記載の携帯端末装置。
【請求項３】
前記出力部は、
前記充電部を用いた前記外部電源から前記二次電池への充電の状況を示す情報を出力する請求項１あるいは２に記載の携帯端末装置。
【請求項４】
前記優先順位は、
前記電源状況判定部が判定した前記複数の外部電源の各々の前記電源状況あるいは前記二次電池の状態のうち少なくとも一方に応じて、最も充電に適した外部電源を、前記二次電池の充電に用いる外部電源として選択するように動的に変更される請求項１から３のうちいずれか一項に記載の携帯端末装置。
【請求項５】
前記複数の外部電源は、
商用電源、太陽光発電を用いた電源、風力発電を用いた電源、化学反応を用いた燃料電池、非接触の形態の電源の少なくとも一つ以上を含む請求項１から４のうちいずれか一項に記載の携帯端末装置。
【請求項６】
前記複数の外部電源と前記携帯端末装置との接続形態として、外部電源と前記携帯端末装置が接続端子を介して接続される接続形態、前記携帯端末装置を充電台に載置して外部電源と前記携帯端末装置が接続される接続形態、外部電源と前記携帯端末装置が非接触で電磁気的に接続される接続形態の少なくとも一つ以上を含む請求項１から５のうちいずれか一項に記載の携帯端末装置。
【請求項７】
前記検出部は、
前記携帯端末装置が、電源装置を介して、前記複数の外部電源の各々と接続されているか否かを判定し、
前記電源状況判定部は、
前記電源装置が前記携帯端末装置と接続されていることを前記検出部が検出した場合、前記二次電池を充電するのに必要とされる十分な電力が前記電源装置から供給されるか否かを判定し、前記電源装置を介して接続される前記外部電源から前記二次電池を充電するのに必要とされる十分な電力が供給されていない場合、当該電源装置と前記外部電源が接続されているものの前記外部電源を用いた充電が不可能であると判定し、
前記出力部は、
前記電源装置と前記外部電源が接続されているものの前記外部電源を用いた充電が不可能であると前記電源状況判定部が判定した場合、前記電源装置と前記外部電源が接続されているものの前記外部電源から前記二次電池を充電するのに必要とされる十分な電力が供給されていない旨の情報を出力する請求項１から６のうちいずれか一項に記載の携帯端末装置。
【請求項８】
前記出力部は、前記電源状況を示す情報を出力する請求項１から７のうちいずれか一項に記載の携帯端末装置。
【請求項９】
複数の外部電源のいずれかから供給される電力で二次電池を充電する充電方法であって、
前記複数の外部電源の各々が接続されたか否かを検出し、
検出結果に基づき、前記複数の外部電源を用いた充電の可否を示す電源状況を判定し、
判定された前記複数の外部電源の各々の前記電源状況と、前記複数の外部電源のうち前記二次電池に前記電力を供給する外部電源を選択する順位である前記外部電源の優先順位とに基づいて、前記複数の外部電源の中から充電に用いる外部電源を選択し、
選択された前記外部電源から供給される電力で前記二次電池を充電し、
選択された前記外部電源を示す情報を出力する充電方法。
【請求項１０】
コンピュータに、
複数の外部電源の各々が接続されたことを検出する検出機能、
前記検出機能の検出結果に基づき、前記複数の外部電源を用いた充電の可否を示す電源状況を判定する電源状況判定機能、
前記電源状況判定機能が判定した前記複数の外部電源の各々の前記電源状況と、前記複数の外部電源のうち前記二次電池に前記電力を供給する外部電源を選択する順位である前記外部電源の優先順位とに基づいて、前記複数の外部電源の中から充電に用いる外部電源を選択する選択機能、
前記選択機能が選択した前記外部電源から供給される電力で前記二次電池を充電する充電機能、
前記選択機能が選択した前記外部電源を示す情報を出力する出力機能
を実行させるプログラム。 
【発明の詳細な説明】
【技術分野】
【０００１】
本発明は、携帯端末装置、充電方法、及びプログラムに関する。
【背景技術】
【０００２】
特許文献１には、充電中の充電状況の通知方法について記載されており、商用電源から蓄電池へ充電を行う際の予測時間や、充電量の通知を行う技術が提案されている。【０００３】
ところで、近年、充電に用いる外部電源として、商用電源以外にも、太陽光発電、風力発電、燃料電池など、複数の種類の外部電源が利用されている。また、外部電源との接続形態としては、携帯端末装置に外部電源を直接接続して充電する接続形態や、充電台に載置して充電する接続形態、あるいは非接触で充電する接続形態など、複数の種類の接続形態が利用されている。【０００４】
そのため、特許文献２には、複数のアダプタ接続端子を備えた携帯通信端末において、各アダプタ接続端子に接続されている充電アダプタの仕様を認識して、該仕様の情報に基づいて１つの充電経路を選択すると共に、充電制御の方式を決定し、充電制御を行なう技術が提案されている。
【先行技術文献】
【特許文献】
【０００５】
【特許文献１】日本特開２０１０−１９３５６０号公報
【特許文献２】日本特開２００４−３３６９５１号公報
【発明の概要】
【発明が解決しようとする課題】
【０００６】
しかしながら、上述の通り、様々な外部電源や様々な接続形態が利用可能となった結果、現在充電を行っている外部電源がどれであるのか、あるいは、充電のために最適な外部電源はどれであるのかなど、携帯端末装置の充電に係る状況が、ユーザにとって分かり難いという問題があった。【０００７】
本発明は、このような事情を考慮してなされたものであり、その目的は、充電のための複数の外部電源がある場合において外部電源の使用状況をユーザに通知することができる携帯端末装置、充電方法、及びプログラムを提供することにある。
【課題を解決するための手段】
【０００８】
上述した課題を解決するために、本発明の一実施形態に係る携帯端末装置は、複数の外部電源のいずれかから供給される電力で充電される二次電池と、前記複数の外部電源の各々が接続されたことを検出する検出部と、前記検出部の検出結果に基づき、前記複数の外部電源を用いた充電の可否を示す電源状況を判定する電源状況判定部と、前記電源状況判定部が判定した前記複数の外部電源の各々の前記電源状況と、前記複数の外部電源のうち前記二次電池に前記電力を供給する外部電源を選択する順位である前記外部電源の優先順位とに基づいて、前記複数の外部電源の中から充電に用いる外部電源を選択する選択部と、前記選択部が選択した前記外部電源から供給される電力で前記二次電池を充電する充電部と、前記選択部が選択した前記外部電源を示す情報を出力する出力部とを備える。【０００９】
また、上述した課題を解決するために、本発明の一実施形態に係る充電方法は、複数の外部電源のいずれかから供給される電力で二次電池を充電する充電方法であって、前記複数の外部電源の各々が接続されたか否かを検出し、検出結果に基づき、前記複数の外部電源を用いた充電の可否を示す電源状況を判定し、判定された前記複数の外部電源の各々の前記電源状況と、前記複数の外部電源のうち前記二次電池に前記電力を供給する外部電源を選択する順位である前記外部電源の優先順位とに基づいて、前記複数の外部電源の中から充電に用いる外部電源を選択し、選択された前記外部電源から供給される電力で前記二次電池を充電し、選択された前記外部電源を示す情報を出力する。【００１０】
また、上述した課題を解決するために、本発明の一実施形態に係るプログラムは、コンピュータに、複数の外部電源の各々が接続されたことを検出する検出機能、前記検出機能の検出結果に基づき、前記複数の外部電源を用いた充電の可否を示す電源状況を判定する電源状況判定機能、前記電源状況判定機能が判定した前記複数の外部電源の各々の前記電源状況と、前記複数の外部電源のうち前記二次電池に前記電力を供給する外部電源を選択する順位である前記外部電源の優先順位とに基づいて、前記複数の外部電源の中から充電に用いる外部電源を選択する選択機能、前記選択機能が選択した前記外部電源から供給される電力で前記二次電池を充電する充電機能、前記選択機能が選択した前記外部電源を示す情報を出力する出力機能を実行させる。
【発明の効果】
【００１１】
この発明は、充電のための複数の外部電源がある場合において外部電源の使用状況をユーザに通知することができる。
【図面の簡単な説明】
【００１２】
【図１】本発明の一実施形態における携帯端末装置の構成を示すブロック図である。
【図２】本実施形態における携帯端末装置１０の動作を説明するためのフローチャートである。
【図３Ａ】本実施形態における表示部１５の表示例を示す模式図である。
【図３Ｂ】本実施形態における表示部１５の表示例を示す模式図である。
【図３Ｃ】本実施形態における表示部１５の表示例を示す模式図である。
【発明を実施するための形態】
【００１３】
以下、本発明の一実施形態を、図面を参照して説明する。
【００１４】
図１は、本発明の一実施形態における携帯端末装置の構成を示すブロック図である。図において、携帯端末装置１０は、ＣＰＵ（Central Processing Unit）１１、メモリ１２、充電制御部１３、表示制御部１４、表示部１５、外部電源接続検出部１６、１７、電池パック２０を備えている。ＣＰＵ１１は、メモリ１２に格納されたプログラムを実行して各部を制御する。メモリ１２は、ＣＰＵ１１が実行するためのプログラムや、複数の外部電源が接続されている場合に、どの外部電源へ優先的に接続するかを示す外部電源接続優先順位などのデータを格納している。
【００１５】
充電制御部１３は、外部電源状況判定部１３１、外部電源選択部１３２、及び充電部１３３を備えている。
外部電源状況判定部１３１は、外部電源を用いた充電の可否を示す電源状況を判定する。この外部電源状況判定部１３１は、接続されている外部電源から充電に十分な電力が供給されているか否かを判定し、充電に十分な電力が供給されている場合、外部電源からの充電が可能な状況であると判定する。一方、充電に十分な電力が供給されていない場合、外部電源状況判定部１３１は、外部電源からの充電が不可能な状況であると判定する。
また、外部電源状況判定部１３１は、携帯端末装置１０が電源装置を介して外部電源と接続される場合、電源装置との物理的な接続の有無を判定する。つまり、外部電源状況判定部１３１は、電源装置と接続されている状態において、外部電源から充電に十分な電力が供給されているか否かを判定する。
【００１６】
外部電源選択部１３２は、外部電源状況判定部１３１が判定した外部電源の電源状況と、複数の外部電源のうち二次電池である電池セル２０１に電力を供給する外部電源を選択する順位として電源状況に応じて予め決められている外部電源の優先順位とに基づいて、複数の外部電源の中から充電に用いる外部電源を選択する。より具体的には、外部電源選択部１３２は、外部電源状況判定部１３１が外部電源の状況を判定した結果に基づいて、充電に十分な電力を供給している外部電源の中から、最も優先順位の高い外部電源を、充電に用いるべき外部電源として選択する。言い換えると、外部電源選択部１３２は、外部電源の優先順位が高くても、充電に十分な電力が当該外部電源から供給されていない場合には、その外部電源を選択候補から除外し、充電に用いるべき外部電源として選択しない。
充電部１３３は、ＣＰＵ１１の制御の下、外部電源選択部１３２が選択した外部電源から供給される電力を、電池パック２０を構成する電池セル２０１に充電する。
【００１７】
表示制御部１４は、ＣＰＵ１１の制御の下、表示部１５を制御する。
表示部１５は、液晶表示器、有機ＥＬ（Electro-Luminescence）表示器などからなり、各種情報を表示する。特に、本実施形態では、表示部１５は、充電中に、充電に用いている外部電源の情報、接続されている外部電源の電源状況、及び充電状況を表示する。
電源状況とは、外部電源を用いた充電の可否を示す情報である。この電源状況は、例えば、外部電源が携帯端末装置１０に接続されているか否かを示す接続状況情報や、外部電源から充電に必要とされる十分な電力が供給されているか否かに基づく利用可否情報とを含む。なお、詳細については後述するが、外部電源が携帯端末装置１０と接続されている接続状況とは、携帯端末装置１０が充電台やＡＣ（Alternating Current）アダプタを介して外部電源から電力供給可能なように充電台やＡＣアダプタと物理的に接続されている状態を示す。また、利用可否情報は、携帯端末装置１０が外部電源と物理的に接続されている状態において、外部電源から充電に必要とされる十分な電力が供給されているか否かを示す情報である。
充電状況とは、充電中における電池残量、及び満充電になるまでの残り時間を示す情報を含む。また、ＣＰＵ１１は、バス１８を経由して装置内の各部と接続されている。
【００１８】
外部電源接続検出部１６は、携帯端末装置１０側に設けられた接続端子Ｂ１にＡＣアダプタ３１の接続端子Ａ１が挿入されることで、接続端子Ｂ１側に設けられている接点スイッチ（図示略）を接続端子Ｂ１が押下して接点スイッチがＯＮとなることを検出する。この外部電源接続検出部１６は、接続端子Ｂ１側の接点スイッチが押下されてＯＮとなることを検出し、商用電源の交流電圧を適切な直流電圧に変換して供給するＡＣアダプタ（＃１）３１が携帯端末装置１０と接続されたことを検出したことを示す検出信号を充電制御部１３に供給する。
外部電源接続検出部１７は、携帯端末装置１０側に設けられた接続端子Ｂ２に充電台３２の接続端子Ａ２が挿入されることで、接続端子Ｂ２側に設けられている接点スイッチ（図示略）を接続端子Ｂ２が押下して設定スイッチがＯＮとなることを検出する。この外部電源接続検出部１７は、接続端子Ｂ２側の接点スイッチが押下されてＯＮとなることを検出し、携帯端末装置１０が充電台３２に載置されたことを検出したことを示す検出信号を充電制御部１３に供給する。
【００１９】
なお、接続端子Ｂ１における接点スイッチ以外に、携帯端末装置１０側に設けられた、光学的、電磁気的なセンサを用いて、ＡＣアダプタ３１の接続端子Ａ１が接続されたことを検出してもよい。また、充電台３２に携帯端末装置１０を載置した場合に押下される接続端子Ｂ２を用いる以外に、携帯端末装置１０側に設けられた、機械的、光学的、電磁気的なセンサを用いて、携帯端末装置１０が充電台３２に載置されたことを検出するようにしてもよい。
【００２０】
ＡＣアダプタ（＃１）３１は、商用電源を外部電源とし、商用電源の交流電圧を適切な直流電圧に変換する。このＡＣアダプタ（＃１）３１は、携帯端末装置１０側の接続端子Ｂ１に挿入されることで電気的に接続される接続端子Ａ１を有する。
ＡＣアダプタ（＃２）３３は、商用電源を外部電源とし、商用電源の交流電圧を適切な直流電圧に変換する。このＡＣアダプタ（＃２）３３は、充電台３２に電気的に接続される。充電台３２は、携帯端末装置１０が載置された際に、携帯端末装置１０側の接続端子Ｂ２が当接する箇所に配設された接続端子Ａ２を有する。
充電台３２に携帯端末装置１０が載置されると、充電台３２側の接続端子Ａ２と携帯端末装置１０側の接続端子Ｂ２とが電気的に接続される。
【００２１】
図示の例では、どちらも外部電源として商用電源を用いているが、それぞれ異なる接続端子で接続されるので、異なる外部電源として認識されることになる。また、図示の例では、外部電源として商用電源のみを用いているが、これ以外にも、外部電源として、太陽電池発電を用いた外部電源、風力発電を用いた電源、化学反応を用いた燃料電池の外部電源、非接触の形態の外部電源（電磁誘導を利用した外部電源）などが用意されていてもよい。
【００２２】
図２は、本実施形態における携帯端末装置１０の動作を説明するためのフローチャートである。なお、本実施形態においては、図１に示す通り、携帯端末装置１０が電源装置であるＡＣアダプタ３１、３３や充電台３２を介して外部電源と接続されている例について説明する。
まず、ＣＰＵ１１は、外部電源接続検出部１６、１７から検出信号が供給されたか否かを判別する（ステップＳ１）。図１において、ＡＣアダプタ３１が携帯端末装置１０と接続されると、外部電源接続検出部１６からＣＰＵ１１に検出信号が供給される。また、携帯端末装置１０が充電台３２に載置され、接続端子Ｂ２側の接点スイッチが押下されると、外部電源接続検出部１７からＣＰＵ１１に検出信号が供給される。そして、いずれの外部電源接続検出部１６、１７からもＣＰＵ１１に検出信号が供給されない場合には（ステップＳ１−ＮＯ）、携帯端末装置１０がＡＣアダプタ（＃１）３１に接続されておらず、また、携帯端末装置１０が充電台３２に載置されていないので、ＣＰＵ１１は、当該処理を終了する。
【００２３】
一方、外部電源接続検出部１６、１７のいずれか一方、または双方から検出信号が供給された場合（ステップＳ１−ＹＥＳ）、外部電源状況判定部１３１は、接続している全ての外部電源の電源状況を判定する（ステップＳ２）。外部電源状況判定部１３１は、電源状況として、検出信号に基づき、接続されていると判定したＡＣアダプタ３１あるいはＡＣアダプタ３３のうち少なくとも一方から、充電に十分な電力が供給されているか判定する。外部電源状況判定部１３１は、充電に十分な電力が供給されている場合には「良」、十分な電力が供給されていない場合には「不良」と判定する。
【００２４】
そして、ＣＰＵ１１は、外部電源状況判定部１３１の判定結果に基づいて、電源状況が「良」の外部電源があるか判別する（ステップＳ３）。図１において、例えば、充電台３２に接続されているＡＣアダプタ３３がコンセントに接続されていなかったとし、一方、ＡＣアダプタ３１はコンセントに接続されていたとする。この場合、外部電源状況判定部１３１は、充電台３２に接続されたＡＣアダプタ３３から充電に十分な電力が供給されないので、充電台３２を介して供給される外部電源からの電源状況を「不良」と判定する。一方、外部電源状況判定部１３１は、ＡＣアダプタ３１から充電に十分な電力が供給されているので、ＡＣアダプタ３１を介して供給される外部電源からの電源状況を「良」と判定する。
【００２５】
そして、電源状況が「良」の外部電源が１つもない場合には（ステップＳ３−ＮＯ）、電池パック２０の電池セル２０１を充電することなく、ＣＰＵ１１は、表示制御部１４を制御し、電源状況、及び充電状況を表示部１５に表示する（ステップＳ４）。この場合、電源状況としては、接続された外部電源毎に、外部電源の供給電圧が十分であるか否かに基づく利用可否状況が表示される。また、充電状況としては、充電残量、満充電までの残時間などが表示される。
【００２６】
一方、電源状況が「良」の外部電源が１つでもある場合には（ステップＳ３のＹＥＳ）、外部電源選択部１３２は、メモリ１２から外部電源の接続の順位を示す優先順位を取得する（ステップＳ５）。図１に示す例では、充電台３２に接続されたＡＣアダプタ３３側の優先順位が高く、ＡＣアダプタ３１側の優先順位が低いと予め決められており、この優先順位がメモリ１２に設定されている。
【００２７】
次に、外部電源選択部１３２は、電源状況が「良」の外部電源の中から優先順位の最も高い外部電源を選択する（ステップＳ６）。図１に示す例では、上述したように、充電台３２に接続されたＡＣアダプタ３３側の優先順位は高いが、電源状況が「不良」と判定されている。一方、ＡＣアダプタ３１側の優先順位は低いが、電源状況が「良」と判定されている。したがって、外部電源選択部１３２は、この判定結果に基づき、ＡＣアダプタ３１を介して接続される外部電源を選択する。言い換えると、充電台３２に接続されたＡＣアダプタ３３は、優先順位は高いが、電源状況が「不良」と判定されている。このため、外部電源選択部１３２は、ＡＣアダプタ３３側の外部電源を選択候補から除外する。このように、本実施形態では、電源状況が「良」の外部電源のうち、優先順位の最も高い外部電源が、充電に用いる外部電源として選択されることになる。
【００２８】
次に、ＣＰＵ１１は、充電制御部１３の充電部１３３を制御して、選択された外部電源からの電力で電池パック２０の電池セル２０１への充電を開始する（ステップＳ７）。図１に示す例では、ＡＣアダプタ３１側が選択されているので、ＡＣアダプタ３１からの電力で電池セル２０１の充電が開始されることになる。
【００２９】
次に、ＣＰＵ１１は、表示制御部１４を制御し、電源状況、及び充電状況を表示部１５に表示する（ステップＳ８）。この場合、電源状況としては、選択されなかった外部電源の供給電圧が十分でないことなどが表示される。また、充電状況としては、充電のために選択した外部電源、充電状態（電池残量、充電完了までの残時間など）が表示される。また、電源状況が「良」であっても、優先順位が低く、選択されなかった他の外部電源が接続されている場合には、該他の外部電源が利用可能である旨を表示してもよい。また、図１に示す例で説明したように、優先順位は高いが、電源状況が「不良」と判定された、充電台３２に接続されたＡＣアダプタ３３が、選択候補から外されたことや、その原因を表示するようにしてもよい。
【００３０】
なお、外部電源接続優先順位は、上述したように、予め決められている優先順位であってもよいし、外部電源の電源状況を判断して、そのときに最も充電に適した外部電源を充電に用いる外部電源として優先して選択するようにしてもよい。
【００３１】
例えば、外部電源として、商用電源（ＡＣアダプタを含む）と太陽光発電を用いた電源とを使い分ける場合に、両方の外部電源と接続されたら、太陽光発電で得られる電力を一定時間（短期間だけ）受け、太陽光発電で得られる電力が予め決められた閾値以上であるか否かを判定し、電力が閾値未満であった場合には、（ＡＣアダプタを介する）商用電源を優先して選択し、電力が閾値以上であった場合には、太陽光発電を用いた電源を優先して選択する。
【００３２】
また、携帯端末装置１０の電池セル２０１の残量を検出し、残量が少ない場合には、相対的に充電時間が短い（ＡＣアダプタを用いる）商用電源を優先して選択し、残量がある程度存在する場合には、相対的に充電時間が長い太陽光発電を用いた外部電源を優先して選択するようにしてもよい。
【００３３】
上述した動作において、外部電源の接続パターンとユーザへの通知（外部電源の電源状況、及び充電状況）とをまとめると以下のようになる。
【００３４】
（１）外部電源が接続されたが、十分な電力が供給されていない場合
この場合、外部電源との非接続の状況をユーザに通知する。
外部電源接続検出部１６は、ＡＣアダプタ（＃１）３１の接続を検出する。外部電源接続検出部１７は、携帯端末装置１０の充電台３２への載置（スイッチＳＷの押下）を検出する。このため、ＡＣアダプタ（＃１）３１が接続されても、あるいは、携帯端末装置１０が充電台３２に載置されたとしても、ＡＣアダプタ（＃１）３１、（＃２）３３がＡＣ電源（商用電源）に接続されているとは限らない。
【００３５】
例えば、充電台３２に接続されているＡＣアダプタ（＃２）３３がコンセントに接続されていない場合には、ユーザが携帯端末装置１０を充電台３２に載置しても、充電に必要な電力が供給されない。この場合、ＡＣアダプタ（＃２）３３が接続されたものの、ＡＣアダプタ（＃２）３３がコンセントに接続されていない旨、あるいは利用不可である旨をユーザに通知する。このような場合、他の外部電源を利用して充電が可能である旨を通知するようにしてもよい。
【００３６】
（２）１つの外部電源が接続され、十分な電力が供給されている場合
この場合、充電に利用している外部電源の電源状況、及び充電状況をユーザに通知する。
【００３７】
（３）２つ以上の外部電源が接続され、十分な電力が供給されている外部電源と、十分な電力が供給されていない外部電源が混在する場合
この場合、充電に用いている外部電源をユーザに通知する。また、充電に利用していない他の外部電源は、解除が可能である旨を通知するようにしてもよい。また、優先順位の高い外部電源の電源状況が「不良」である場合には、その外部電源の代わりに、実際に充電に用いている外部電源をユーザに通知するようにしてもよい。
【００３８】
図３Ａ〜図３Ｃは、本実施形態における表示部１５の表示例を示す模式図である。例えば、ＡＣアダプタ（＃１）３１の接続端子Ａ１が携帯端末装置１０側の接続端子Ｂ１に接続されたことと、携帯端末装置１０に設けられたスイッチＳＷが押下されることで携帯端末装置１０が充電台３２へ載置されたことが検出された場合に、充電台３２側の優先順位が高いとすると、充電台３２に接続されたＡＣアダプタ（＃２）３３からの供給電力で電池セル２０１を充電する。このとき、図３Ａに示すように、充電台３２に接続されたＡＣアダプタ（＃２）３３から充電が行われていることを表示部１５に表示する。また、充電状況として、電池容量「８０％」、満充電までの残り時間「あと２０分」などを表示する。
【００３９】
また、図３Ｂに示すように、充電に用いている外部電源（ＡＣアダプタ＃２）、充電状況として、電池容量「８０％」、満充電までの残り時間「あと３０分」などを表示することに加えて、さらに、他の外部電源に関する電源状況として、他の外部電源「ＡＣアダプタ＃１」の接続状況「接続」、利用可否状況「利用可」などを表示する。
【００４０】
また、図３Ｃには、非接触充電が行われている場合の表示例を示している。すなわち、充電に用いている外部電源として「非接触で充電中」、充電状況として電池容量「７０％」、満充電までの残り時間として「あと５０分」などを表示することに加えて、さらに、他の外部電源に関する電源状況として、他の外部電源「ＡＣアダプタ＃１」の接続状況「接続」、利用可否状況「利用可」、他の外部電源「ＡＣアダプタ＃２」の接続状況「非接続」、利用可否状況「利用不可」などを表示する。
【００４１】
これにより、例えば、複数の外部電源と携帯端末装置１０とが接続されている場合において、携帯端末装置１０と接続されている複数の外部電源のうち、電池セル２０１を充電するために電力を供給している外部電源をユーザに知らせることができる。
【００４２】
また、充電台３２に携帯端末装置１０を載置しているにもかかわらず、その充電台３２に接続されたＡＣアダプタ（＃２）３３が商用電源（コンセント）に接続されていない場合、充電されていないことをユーザに通知することが可能となる。
【００４３】
上述した実施形態では、複数の外部電源が接続されたことが検出された場合、複数の外部電源の電源状況（充電に十分な電力が供給されているか否か）を判別し、電源状況を「良」とする外部電源の中から、最も優先度の高い外部電源を選択し、該選択した外部電源を用いて充電を行う。その際、充電に利用している外部電源や、充電状況、他の外部電源の電源状況などの様々な情報を表示部１５に表示するようにした。このため、充電のための複数の外部電源がある場合において外部電源の使用状況をユーザに通知することができる。
【００４４】
なお、上述した実施形態は、携帯電話機、ＰＤＡ（Personal Data Assistance）、Ｎｏｔｅ−ＰＣ（Personal Computer）などの表示部、スピーカ部、ＬＥＤ（Light Emitting Diode）部、バイブレータ部を備え、非接触充電が可能な携帯端末装置にも適用可能である。
【００４５】
また、上述した実施形態では、充電制御部１３内に、外部電源状況判定部１３１、及び外部電源選択部１３２を設けるようにしたが、これに限らず、ＣＰＵ１１のプログラム実行上の機能として動作させるようにしてもよい。
【００４６】
また、上述した携帯端末装置の全部または一部の機能を実現するためのプログラムをコンピュータ読み取り可能な記録媒体に記録し、この記録媒体に記録されたプログラムをコンピュータシステムに読み込ませて実行することで、各部の処理を行ってもよい。コンピュータシステムは、ＯＳ（Operating System）や周辺機器等のハードウェアを含む。また、コンピュータシステムは、ＷＷＷ（World Wide Web）システムを利用している場合であれば、ホームページ提供環境（あるいは表示環境）も含む。
【００４７】
コンピュータ読み取り可能な記録媒体は、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置である。また、コンピュータ読み取り可能な記録媒体は、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含む。また、上記プログラムは、前述した機能の一部を実現するためのものであっても良く、コンピュータシステムにすでに記録されているプログラムとの組み合わせで前述した機能を実現できるものであっても良い。
【００４８】
以上、実施形態を用いて本発明を説明したが、本発明の技術的範囲は、上述した実施形態に記載の範囲に限定されるものではない。上記実施形態に多様な変更又は改良を加えることが可能であることが、当業者に明らかである。その様な変更又は改良を加えた形態も本発明の技術的範囲に含まれ得ることが、請求の範囲の記載から明らかである。
【００４９】
この出願は、２０１１年５月１３日に出願された日本出願特願２０１１−１０８０７７号を基礎とする優先権を主張し、その開示の全てをここに取り込む。
【産業上の利用可能性】
【００５０】
本発明は、携帯電話機、ＰＤＡ、Ｎｏｔｅ−ＰＣなどに利用可能である。本発明は、充電のための複数の外部電源がある場合において、外部電源の使用状況をユーザに通知することができる。
【符号の説明】
【００５１】
１０  携帯端末装置
１１  ＣＰＵ
１２  メモリ
１３  充電制御部
１３１  外部電源状況判定部
１３２  外部電源選択部
１３３  充電部
１４  表示制御部
１５  表示部
１６、１７  外部電源接続検出部
１８  バス
２０  電池パック
２０１  電池セル
３１、３３  ＡＣアダプタ（＃１）、（＃２）
３２  充電台
【図１】
2012157567.tif 000003
【図２】
2012157567.tif 000004
【図３Ａ】
2012157567.tif 000005
【図３Ｂ】
2012157567.tif 000006
【図３Ｃ】
2012157567.tif 000007
【国際調査報告】
2012157567.tif 000008
2012157567.tif 000009
2012157567.tif 000010
2012157567.tif 000011